(57)【要約】本発明は、放射線ビームの断面の第１領域及び第２領域のそれぞれにおける放射線に依存する第１焦点エラー信号（ＦＥＳｎ，１）及び第２焦点エラー信号（ＦＥＳｎ，２）を得るための検出器と、球面収差信号を生成するように、前記第１焦点エラー信号（ＦＥＳｎ，１）に対して前記第２焦点エラー信号（ＦＥＳｎ，２）を減算するための処理手段と、式（Ｉ）にしたがって、前記第２焦点エラー信号（ＦＥＳｎ，２）を生成するための処理手段と、を有するシステムであり、αはパラメータであり、Ａ２、Ｂ２、Ｃ２及びＤ２は前記第２領域に位置付けられている複数の放射線検出部からの出力信号を有する、システム及び方法に関する。
2008504643.tif 000002
【特許請求の範囲】
【請求項１】
システムであって：
放射線ビームの断面の第１領域及び第２領域のそれぞれにおける放射線に依存する第１焦点エラー信号及び第２焦点エラー信号を得るための検出器；
球面収差信号を生成するように、前記第１焦点エラー信号に対して前記第２焦点エラー信号を減算するための処理手段；並びに
次式
ＦＥＳｎ，２＝α［（Ａ２−Ｂ２）／（Ａ２＋Ｂ２）＋（Ｃ２−Ｄ２）／（Ｃ２＋Ｄ２）］
にしたがって、前記第２焦点エラー信号（ＦＥＳ′ｎ）を生成するための処理手段であって、ここで、αはパラメータであり、Ａ２、Ｂ２、Ｃ２及びＤ２は前記第２領域に位置付けられている複数の放射線検出部からの出力信号を意味する、処理手段；
を有するシステム。
【請求項２】
請求項１に記載のシステムであって：
次式
ＦＥＳｎ，１＝α［（Ａ１−Ｂ１）／（Ａ１＋Ｂ１）＋（Ｃ１−Ｄ１）／（Ｃ１＋Ｄ１）］
にしたがって、前記第１焦点信号を規定するための処理手段であって、ここで、Ａ１、Ｂ１、Ｃ１及びＤ１は前記第１領域に位置付けられている複数の放射線検出部からの出力信号を意味する、処理手段；
を更に有するシステム。
【請求項３】
請求項１又は２に記載のシステムであって、前記第１及び第２領域は前記放射線ビームの前記断面に関して内側及び外側を有し、前記内側領域に関する前記第１焦点エラー信号は前記検出器の１つ又はそれ以上の第１放射線検出部から得られ、前記外側領域に関する前記第２焦点エラー信号は前記検出器の１つ又はそれ以上の第２放射線検出部から得られ、前記１つ又はそれ以上の第１放射線検出部は、前記１つ又はそれ以上の第２放射線検出部より前記検出器の中央に近い、システム。
【請求項４】
請求項１又は２に記載のシステムであって、前記パラメータαは０．５に等しい、システム。
【請求項５】
請求項１に記載のシステムであって：
前記第１焦点エラー信号と前記第２焦点エラー信号の和であるように焦点エラー信号を生成するための処理手段；
を更に有する、システム。
【請求項６】
システムであって：
放射線ビームの断面の第１内側領域及び第２外側領域のそれぞれにおける放射線を検出するように意図された内側の４象限領域及び外側の４象限領域を有する検出器；並びに
次式
ＳＡＥＳ′ｎ＝α［（Ａ１−Ａ２−Ｂ１＋Ｂ２）／（Ａ１＋Ａ２＋Ｂ１＋Ｂ２）＋（Ｃ１−Ｃ２−Ｄ１＋Ｄ２）／（Ｃ１＋Ｃ２＋Ｄ１＋Ｄ２）］
にしたがって、球面収差信号（ＳＡＥＳ′ｎ）を生成するための処理器であって、ここで、αはパラメータであり、Ａ１、Ｂ１、Ｃ１及びＤ１は前記内側領域に位置付けられている複数の放射線検出部からの出力信号を意味し、Ａ２、Ｂ２、Ｃ２及びＤ２は前記外側領域に位置付けられている複数の放射線検出部からの出力信号を意味する、処理器；
を有するシステム。
【請求項７】
請求項６に記載のシステムであって、次式
ＦＥＳ′ｎ＝α［（Ａ１＋Ａ２−Ｂ１＋Ｂ２）／（Ａ１＋Ａ２＋Ｂ１＋Ｂ２）＋（Ｃ１＋Ｃ２−Ｄ１−Ｄ２）／（Ｃ１＋Ｃ２＋Ｄ１＋Ｄ２）］
にしたがって、焦点エラー信号（ＦＥＳ′ｎ）を生成するための処理手段；
を更に有するシステム。
【請求項８】
方法であって：
放射線ビームの断面の第１領域及び第２領域のそれぞれにおける放射線に依存する第１焦点エラー信号及び第２焦点エラー信号を得る段階；
球面収差信号を生成するように、前記第１焦点エラー信号に対して前記第２焦点エラー信号を減算する段階；並びに
次式
ＦＥＳｎ，２＝α［（Ａ２−Ｂ２）／（Ａ２＋Ｂ２）＋（Ｃ２−Ｄ２）／（Ｃ２＋Ｄ２）］
にしたがって、前記第２焦点エラー信号（ＦＥＳ′ｎ）を生成する段階であって、ここで、αはパラメータであり、Ａ２、Ｂ２、Ｃ２及びＤ２は前記第２領域に位置付けられている複数の放射線検出部からの出力信号を意味する、段階；
を有する方法。
【請求項９】
方法であって：
放射線ビームの断面の第１内側領域及び第２外側領域のそれぞれにおいて放射線を検出する段階；並びに
次式
ＳＡＥＳ′ｎ＝α［（Ａ１−Ａ２−Ｂ１＋Ｂ２）／（Ａ１＋Ａ２＋Ｂ１＋Ｂ２）＋（Ｃ１−Ｃ２−Ｄ１＋Ｄ２）／（Ｃ１＋Ｃ２＋Ｄ１＋Ｄ２）］
にしたがって、球面収差信号（ＳＡＥＳ′ｎ）を生成する段階であって、ここで、αはパラメータであり、Ａ１、Ｂ１、Ｃ１及びＤ１は前記内側領域に位置付けられている複数の放射線検出部からの出力信号を意味し、Ａ２、Ｂ２、Ｃ２及びＤ２は前記外側領域に位置付けられている複数の放射線検出部からの出力信号を意味する、段階；
を有する方法。
【請求項１０】
光記憶システムのための光走査装置であって：
該光走査装置は走査ビームを生成するための放射線源；
光記憶媒体の情報層に前記走査ビームをフォーカシングするための手段；及び
前記光記憶媒体の前記情報層から反射される放射線ビームを受け入れるための複数の検出部を有する検出システム；
を有する光走査装置であり、
該光記憶装置は、球面収差信号を生成するために、請求項１又は６に記載のシステムを有する；
光記憶装置。
【請求項１１】
請求項１０に記載のシステムであって：
８つのセグメントの放射線検出器；
を有するシステムであり、
４つの隣接する検出セグメントが、前記放射線ビームの断面に対して外側領域に関して備えられ、４つの隣接する検出セグメントが内側領域に関して備えられている；
システム。
【請求項１２】
請求項１０に記載のシステムであって、前記放射線検出セグメントは、内側の同心領域に関して備えられているセグメントの幅はａであり、前記外側同心領域に関して備えられている前記セグメントから前記内側同心領域に関して備えられているセグメントを分離するラインとスポット周縁との交点はｂ＝（１−ａ２）０．５で規定される、システム。
【請求項１３】
請求項１０に記載の光走査装置を有する光記憶システム。
【発明の詳細な説明】
【技術分野】
【０００１】
本発明は、一般に、光記憶システムの分野に関し、特に、光ディスクのような光記憶媒体から移動する放射線ビームを検出するための検出システムで使用する球面収差信号を生成するための装置及び方法に関する。
【背景技術】
【０００２】
光データ記憶システムは、光ディスクのような光記録担体に大量のデータを記憶するための手段を備えている。そのデータは、ディスクのデータ層にレーザビームをフォーカシングし、次いで、反射される光ビームを検出することによりアクセスされる。既知の一システムにおいては、データは、ピットのようなマークとしてディスクに永久的に組み込まれ、データは、レーザビームがマスクに移動するとき、データは反射率の変化として検出される。
【０００３】
高密度で大容量の記憶媒体としてピットパターンを有する光ディスクを用いる光ディスク記憶技術が実用化されてきた一方、ＤＶＤ（Ｄｉｇｉｔａｌ  Ｖｅｒｓａｔｉｌｅ  Ｄｉｓｋ）、ビデオディスク、文書ファイルディスク及びデータファイルにそのアプリケーションを拡大している。
【０００４】
光ディスクの記録容量を更に改善するために、対物レンズの開口数（ＮＡ）における増加について、近年、研究されてきた。対物レンズは、回折限界スポットを生成するように、光ディスクに光ビームをフォーカシングする。しかしながら、光ディスクのデータ記録層を保護するためのベース材料の厚さの誤差による球面収差（ＳＡ）は、ＮＡと共に非常に増加する。それ故、光記憶ディスクは密度が増加し、対物レンズのＮＡは大きくなり、ディスクのカバー層がディスクの製造プロセスにおける小さい変動のために設計値から外れるとき、又は、二層ディスクが用いられるときに生じる球面収差による影響は、それに応じて増加し、それ故、読み出し信号において歪みが存在する。
【０００５】
携帯用アプリケーションについては、ディスク及びドライブの両方ができるだけ小さい必要がある。小さいディスクにおいて十分に大きいデータ容量を達成するためには、二層ディスクを使用することが、この種のアプリケーションに対して、非常に好ましい。図１を参照するに、そのようなディスクにおいては、第１データ層Ｌ０は、ディスクの入射面Ｓの下方、深さｄに位置付けられ、第２層Ｌ１は、深さｄ＋ｓに位置付けられている。厚さｄの上部層はカバー層と呼ばれ、厚さｓの中間層はスペーサ層と呼ばれる。
【０００６】
一層のみを有するディスクについては、球面収差の一定量が、光の収束コーンを生成する対物レンズにより補償されるが、これは、多層ディスクについては十分でない。後者のタイプのディスクにおいては、スペーサ層を通るフォーカシングに関連する球面収差の補償が必要である。これは、２つの対物レンズを用いることにより達成されることが可能であり、それらの対物レンズの各々は、層Ｌ０及びＬ１のそれぞれに関連する球面収差を補償する。それ故、この場合、典型的な光走査装置は、層Ｌ０及びＬ１のそれぞれに関連する球面収差を補償するための２つの対物レンズＯＬ０及びＯＬ１を有することが可能であり、それらの対物レンズはアクチュエータＡＣ内に備えられ、そのアクチュエータは、トラックにおいてフォーカシングされた操作スポットを維持するように、径方向及び焦点方向に動くことができる部品である。
【０００７】
高ＮＡ読み出しシステムについての全ての場合には、球面収差の補償は、カバー層の厚さの変動に関連する許容範囲を大きくするために又は二層ディスクを使用するときに必要とされ、この場合、球面収差が現象として生じ、それにより、光軸に対して小さい角度を成すディスクを走査する光の収束コーンにおける光線（内側光線）は、光軸と大きい角度を成す収束コーンにおける光線（外側光線）の焦点と異なる焦点を有する。これは、スポットのぼやけ及びビットストリームの読み出しにおける忠実度の低下をもたらす。補償される必要がある球面収差の量は、フォーカシングされるデータ層の深さに比例し、そして、ＮＡと共に非常に増加する。球面収差の一定量は、光のコーンを生成する対物レンズにより補償されるが、球面収差の変動量が多層ディスクにおいて補償される必要があり、そのような補償は、例えば、光路に球面収差生成成分を加えることにより達成される。
【０００８】
そのような球面収差補償手段は球面収差誤差信号（ＳＡＥＳ）を必要とし、そのような誤差信号は、例えば、米国特許第６，２２９，６００号明細書及び国際公開第００／３９７９２号パンフレットに記載されているように生成されることが可能であり、それらの両方の文献の構成は、ビームの外側光線の焦点誤差信号（ＦＥＳ）によりビームの内側光線のＦＥＳを補償することに基づいていて、球面収差は、ビームの内側部分と外側部分との間の焦点の差分として定義されることを前提としている。
【０００９】
しかしながら、ビームランディングの場合、即ち、検出器におけるスポットが放射線検出器の一部であって、全体的なＦＥＳ及びＳＡＥＳにおいてオフセットを導入する、一部に関連して置き換えられる場合、課題が生じる。
【特許文献１】米国特許第６，２２９，６００号明細書
【特許文献２】国際公開第００／３９７９２号パンフレット
【発明の開示】
【課題を解決するための手段】
【００１０】
本発明の目的は、球面収差信号を生成するための改善された方法及びシステムであって、上記のオフセットが減少される又は実質的に削除される方法及びシステムを提供することである。
【００１１】
本発明の第１の特徴にしたがって、システムであって、
−  放射線ビームの断面の第１領域及び第２領域における放射線に応じて、第１誤差信号（ＦＥＳｎ，１）及び第２誤差信号（ＦＥＳｎ，２）を得るための検出器と
−  球面収差信号（ＳＡＥＳｎ）を生成するように、前記第１誤差信号（ＦＥＳｎ，１）まで第２誤差信号（ＦＥＳｎ，２）を減じるための処理手段と、
−  次式
ＦＥＳｎ，２＝α［（Ａ２−Ｂ２）／（Ａ２＋Ｂ２）＋（Ｃ２−Ｄ２）／（Ｃ２＋Ｄ２）］
にしたがって、前記第２誤差信号（ＦＥＳｎ，２）を生成するための処理手段と、
を有するシステムであり、ここで、αはパラメータであり、Ａ２、Ｂ２、Ｃ２及びＤ２は前記それぞれの第２領域に位置付けられた複数の放射線検出部からの出力信号である、システムである。
【００１２】
本発明の第２特徴にしたがって、システムであって、
−  放射線ビームの断面の第１及び第２領域において放射線を検出するように意図された内側の４つの象限及び外側の４つの象限を有する検出器と、
−  次式
ＳＡＥＳ′ｎ，２＝α［（Ａ１−Ａ２−Ｂ１＋Ｂ２）／（Ａ１＋Ａ２＋Ｂ１＋Ｂ２）＋（Ｃ１−Ｃ２−Ｄ１＋Ｄ２）／（Ｃ１＋Ｃ２＋Ｄ１＋Ｄ２）］
にしたがって、球面収差信号（ＳＡＥＳ′ｎ）を生成するための処理手段と、
を有するシステムであり、ここで、αはパラメータであり、Ａ１、Ｂ１、Ｃ１及びＤ１は前記内側領域に位置付けられた複数の放射線検出部からの出力信号であり、Ａ２、Ｂ２、Ｃ２及びＤ２は前記外側領域に位置付けられた複数の放射線検出部からの出力信号である、システムである。
【００１３】
本発明の目的は、そのようなシステム及び方法を用いる光走査装置及び光記憶システムを提供することである。
【００１４】
前記光検出装置は、走査ビームを生成するための放射線源と、光記憶媒体の情報層に前記走査ビームを焦点合わせするための手段と、前記光記憶媒体の前記情報層から反射される放射線ビームを受け入れるための複数の検出部を有する検出システムとを有し、前記装置は、球面収差信号を生成するための上記のシステムを更に有する。
【００１５】
本発明は、上記のような光走査装置を有する光記憶システムにまで更に及ぶ。
【００１６】
本発明により、副検出器において光スポットの非対称位置合わせに殆ど影響しない球面収差信号が生成される。したがって、対物レンズ系による記録担体における光スポットのフォーカシングを改善することができる。
【００１７】
本発明の上記の及び他の特徴については、以下、詳述する実施形態を参照して明らかになり、理解できるであろう。
【発明を実施するための最良の形態】
【００１８】
図３は、球面収差を有する光ビームを示している。ビームの波面は、ライン１で示されている。ビームに球面収差がない場合、波面は軸３に中心を置く球表面２である。近軸光線、即ち、光線４、５のような、軸に近い光線は、その軸の焦点６にフォーカシングする。光線７、８のような、その軸から遠い光線は焦点９にフォーカシングする。周辺光線、即ち、光線１０、１１のようなビームの周縁に近い構成は焦点１２にフォーカシングする。光ビーム内に備えられる及びビームの主として平行な光線を捕捉する焦点検出システムは、近軸焦点６の位置に等しい又はそれに近い焦点位置を検出する。それに代えて主な近軸光線を捕捉し、同じビーム内に備えられる他の焦点検出システムは、近軸焦点１２に等しい又はそれに近い焦点位置を検出する。２つの検出された焦点の差は、符号及び球面収差の大きさである。
【００１９】
それ故、光ビームの球面収差は、複数の収束領域にビームを分割し、それらの焦点の位置から球面収差を決定することによりことにより測定される。
【００２０】
図４ａは、本発明の例示としての実施形態にしたがった球面収差検出システムを模式的に示している。レンズ１５は、検出器１７においてフォーカシングされる放射線ビーム１６を形成する。ビーム１６は光学要素により非点収差がもたらされ、その光学要素はレンズ１５であることが可能である。検出器の電気出力信号は信号処理器１８に接続されている。信号処理器は球面収差信号ＳＳＡを供給し、その球面収差信号ＳＳＡの値は光ビームにおける球面収差を表す。
【００２１】
図４ｂに示すように、検出器１７は、４つの隣接副検出器Ａ１、Ｂ１、Ｃ１及びＤ１を有する内側象限検出器（放射線ビームの内側領域を検出するための）と、４つの隣接副検出器Ａ２、Ｂ２、Ｃ２及びＤ２を有する外側象限検出器（放射線ビームの外側領域を検出するための）とを有する。ビームにおける非点収差の量は、ビーム１６における近軸光線によりフォーカシングされる非点収差スポットが内側象限検出器に主に向かうように、内側象限検出器の大きさに対して調節され、ビーム１６における周縁光線の焦点ラインの実質的なエネルギー量は外側象限検出器に向かう。
【００２２】
副検出器Ａ１乃至Ｄ１の電気出力信号のそれぞれは、近軸光線に対して焦点エラー信号を形成するように結合され、副検出器Ａ２乃至Ｄ２の電気出力信号のそれぞれは、周縁光線に対して焦点エラー信号を形成するように結合される。
【００２３】
基本的には、内側焦点エラー信号ＦＥＳ１及び外側焦点エラー信号ＦＥＳ２は、次式のように定義され、
ＦＥＳ１＝（Ａ１−Ｂ１＋Ｃ１−Ｄ１）／（Ａ１＋Ｂ１＋Ｃ１＋Ｄ１）    （０ａ）
ＦＥＳ２＝（Ａ２−Ｂ２＋Ｃ２−Ｄ２）／（Ａ２＋Ｂ２＋Ｃ２＋Ｄ２）    （０ａ）
全体的な焦点エラー信号ＦＥＳ及び全体的な球面収差信号は、次式のように定義される。
【００２４】
ＦＥＳ＝ＦＥＳ１＋ＦＥＳ２
ＳＡＥＳ＝ＦＥＳ１−ＦＥＳ２
本発明のシステムは、反射される光ビームにより検出器１７において形成される光スポットは副検出器に対して適切に対称的に必ずしも位置付けられないために、フォーカシングシステムが適切に動作しないことの認識に基づいて、上記の目的を達成する。このような非対称位置（また、ビームランディングオフセットと呼ばれている）は、例えば、径方向及び接線方向のトラッキング動作のチルトによりもたらされる。このビームランディングの結果、誤った球面収差信号が副検出器の出力信号からもたらされる可能性があり、それ故、光ビームは、対物レンズ系により記録担体に正確にフォーカシングされない。
【００２５】
本発明にしたがって、球面収差信号を生成するためのシステムは、副検出器において光スポットの非対称位置決めに対して殆ど影響しない球面収差信号を生成する。したがって、対物レンズ系による記録担体における光スポットのフォーカシングは改善される。
【００２６】
ビームランディングによりもたらされるオフセットは、次式のように、内側の焦点エラー信号ＦＥＳｎ，１及び内側の焦点エラー信号ＦＥＳｎ，２を独立して正規化することにより、本発明にしたがって削除され、
ＦＥＳｎ，１＝α［（Ａ１−Ｂ１）／（Ａ１＋Ｂ１）＋（Ｃ１−Ｄ１）／（Ｃ１＋Ｄ１）］
（１ａ）
ＦＥＳｎ，２＝α［（Ａ２−Ｂ２）／（Ａ２＋Ｂ２）＋（Ｃ２−Ｄ２）／（Ｃ２＋Ｄ２）］
（１ｂ）
ここで、図４ｂに示すような検出器１７は、出力信号Ａ１、Ｂ１、Ｃ１、Ｄ１、Ａ２、Ｂ２、Ｃ２、Ｄ２を得るように用いられる。
【００２７】
パラメータαは、有利に、０．５に設定される。これは、システムの製造中、放射線検出器を有する検出器手段は殆ど正確に調節されなくてもよく、それ故、そのシステムはより安価に製造される。更に、そのような設定により、“フォーカシングされている”条件の周りでエラー検出システムをフォーカシングする感度は、それ故、既存の読み出し装置の感度と同じである。
【００２８】
それ故、フォーカスエラー信号ＦＥＳｎ，２及び球面収差エラー信号ＳＡＥＳｎ，２は次式のように表される。
【００２９】
ＦＥＳｎ＝ＦＥＳｎ，１＋ＦＥＳｎ，２
ＳＡＥＳｎ＝ＦＥＳｎ，１−ＦＥＳｎ，２                    （２）
例示としての一実施形態においては、外側の焦点エラー信号ＦＥＳｎ，２は式（１ｂ）にしたがって正規化される。その場合、内側の焦点エラー信号ＦＥＳｎ，１は式（１ａ）にしたがって正規化される。
【００３０】
例示としての他の実施形態にしたがって、ビームランディングオフセットが全体的に削除され、対物レンズ系のフォーカシング能力を更に改善することを確実にするように、内側の焦点エラー信号ＦＥＳｎ，１及び外側の焦点エラー信号ＦＥＳｎ，２は式（１ａ）及び式（１ｂ）にしたがって正規化される。
【００３１】
図５ａは、式（２）の実施形態を模式的に示している。減算、加算、除算及び乗算のための手段が、有利に、処理器のような処理手段により実施される。
【００３２】
ここで、代替の検出器構成を考慮するに、８つのセグメントが、図６に示すように構成され、内側領域に関して備えられているセグメントの幅はａであり、外側領域に関して備えられているセグメントから内側領域に関して備えられているセグメントを分離するラインとスポット周縁（即ち、放射線ビームにより規定されるスポットの周縁）との交点はｂ＝（１−ａ２）０．５で規定される。ビームランディングの場合、それらのセグメントは、次式にしたがって変化する。
【００３３】
Ａ１→Ａ１＋（１−ｂ）εｒ＋ａεｔ、
Ａ２→Ａ２＋ｂεｒ＋（１−ａ）εｔ＋εｒεｔ、
Ｂ１→Ｂ１＋（１−ｂ）εｒ＋ａεｔ、
Ｂ２→Ｂ２＋ｂεｒ＋（１−ａ）εｔ−εｒεｔ、
Ｃ１→Ｃ１−（１−ｂ）εｒ−ａεｔ、
Ｃ２→Ｃ２−ｂεｒ−（１−ａ）εｔ＋εｒεｔ、
Ｄ１→Ｄ１−（１−ｂ）εｒ＋ａεｔ、
Ｄ２→Ｄ２−ｂεｒ＋（１−ａ）εｔ−εｒεｔ              （３）
式（１）の正規化はまた、この場合に機能するが、ビームランディングによる個々のセグメントのオフセットは全く異なる。
【００３４】
第２実施形態においては、内側及び外側領域からの信号は加算及び減算され、式（１）に比較して異なる方法で正規化される。それ故、焦点エラー信号ＦＥＳ′ｎ及び球面収差エラー信号ＳＡＥＳ′ｎは、次式のように計算される。
【００３５】
ＦＥＳ′ｎ＝α［（Ａ１＋Ａ２−Ｂ１−Ｂ２）／（Ａ１＋Ａ２＋Ｂ１＋Ｂ２）＋（Ｃ１＋Ｃ２−Ｄ１−Ｄ２）／（Ｃ１＋Ｃ２＋Ｄ１＋Ｄ２）］
ＳＡＥＳ′ｎ＝α［（Ａ１−Ａ２−Ｂ１＋Ｂ２）／（Ａ１＋Ａ２＋Ｂ１＋Ｂ２）＋（Ｃ１−Ｃ２−Ｄ１＋Ｄ２）／（Ｃ１＋Ｃ２＋Ｄ１＋Ｄ２）］                （４）
これは、ビームランディングオフセットを減少させる同じ効果を有し、対応する実施については、図５ｂに模式的に示している。
【００３６】
それ故、要約すると、上記の本発明の例示としての実施形態は、球面収差エラー信号を生成するための方法を与え、球面収差エラー信号は、ビームの内側部分及び外側部分の焦点エラー信号間の（重み付けされた）差であり、内側及び外側焦点エラー信号は、式（１）にしたがって個別に正規化される。正規化の順序及び異なる信号をとることが反転される実施形態についてはまた、説明した。
【００３７】
上記の実施形態は、本発明を限定するのではなく、例示的なものであり、同時提出の特許請求の範囲に記載されている本発明の範囲から逸脱することなく、当業者は多くの代替の実施形態をデザインすることができることに留意する必要がある。用語“を有する”及びその派生表現は、全体として、何れの請求項又は明細書に列挙した要素又は段階以外の要素又は段階の存在を排除するものではない。要素の単数表現はその要素の複数の存在を排除するものでなく、その逆もまた真である。本発明は、幾つかの個別の要素を有するハードウェアにより、及び適切にプログラムされたコンピュータにより実施されることが可能である。幾つかの手段を列挙した装置請求項においては、それらの手段の幾つかは、全く同一のハードウェアにより具現化されることが可能である。特定の手段が互いに異なる独立請求項に列挙されているということは、単に、それらの手段の組み合わせが有利であるように用いられることがないことを意味するものではない。
【図面の簡単な説明】
【００３８】
【図１】２つのレンズを有する２層読み出しのための先行技術にしたがった光学走査装置を示す模式図である。
【図２ａ】既知の非点収差焦点方法にしたがった象限検出器における光分布を示す模式図である。
【図２ｂ】既知の非点収差焦点方法にしたがった象限検出器における光分布を示す模式図である。
【図２ｃ】既知の非点収差焦点方法にしたがった象限検出器における光分布を示す模式図である。
【図３】球面収差を有する光ビームを示す図である。
【図４ａ】本発明の例示としての実施形態にしたがった非点収差の球面収差検出システムの模式図である。
【図４ｂ】球面収差信号を生成するための８個のセグメントの検出器の模式図である。
【図５ａ】本発明の例示としての第１実施形態にしたがったシステムを示す模式的回路図である。
【図５ｂ】本発明の例示としての第２実施形態にしたがったシステムを示す模式的回路図である。
【図６】内側セグメントの幅、スポット周縁の交点（スポット半径は１であるようにとり、内側セグメントと外側セグメントを分離するラインはｂ＝（１−ａ２）０．５で規定される検出セグメントを模式的に示す図である。
【図１】
2008504643.tif 000003
【図２ａ】
2008504643.tif 000004
【図２ｂ】
2008504643.tif 000005
【図２ｃ】
2008504643.tif 000006
【図３】
2008504643.tif 000007
【図４ａ】
2008504643.tif 000008
【図４ｂ】
2008504643.tif 000009
【図５ａ】
2008504643.tif 000010
【図５ｂ】
2008504643.tif 000011
【図６】
2008504643.tif 000012
【国際調査報告】
2008504643.tif 000013
2008504643.tif 000014